(57)【特許請求の範囲】
【請求項１】
ケーシングの内部に排気部を有する上室と、被濾過流体が供給される下室とを設け、その下室の周壁に扉によって開閉される引出し口を形成し、上室と下室間における仕切板の下面にガイドレールを収容可能とする間隔をおいて複数のガイド板を固定し、そのガイド板間に組込まれて引出し口の方向に移動可能のガイドレールに、そのレール上面で支持される支持板に自己保形性を有するフィルタエレメントの上部を一体化したフィルタユニットを着脱自在に取付け、前記ガイド板には、ガイドレールを下降させた位置で保持する複数のピンを設けると共に、ケーシング内の奥側端部にガイドピンを設け、前記ガイドレールの先端部には、そのガイドレールの押し込み時に上記ガイドピンで案内されてガイドレールの先端部を上昇動させるテーパ面と、前記フィルタユニットの上面が仕切板の下面に密着し、フィルタエレメントの上部開口が前記仕切板に形成された連通孔と一致する状態で前記ガイドピンが係合する位置決め用の切欠部とを設け、その切欠部がガイドピンに係合する位置決め状態でガイドレールの押込側後端部を仕切板に固定する締着手段を設けた集塵装置。
【請求項２】
前記ガイドレールにフィルタエレメントが挿入される挿入孔を形成して、フィルタユニットをガイドレールの上方に着脱可能に支持した請求項１に記載の集塵装置。
【請求項３】
前記ガイドレールに、その押し込み方向の後端で開口するフィルタエレメント挿入用のガイド溝を形成し、そのガイド溝に沿ってフィルタユニットを着脱自在とした請求項１に記載の集塵装置。
【請求項４】
前記複数のピンのうち、引出し口に近接する位置のピンを、前記切欠部がガイドピンに係合する状態で、ガイドレールの押し込み方向後端から外れた後方位置に配置した請求項１乃至３のいずれかに記載の集塵装置。
【請求項５】
前記フィルタユニットの支持板上に仕切板の下面に密着されるシール材を固着した請求項１乃至４のいずれかに記載の集塵装置。
【請求項６】
前記締着手段が、仕切板に固着されたナットと、そのナットにねじ係合されるボルトとから成る請求項１乃至５のいずれかに記載の集塵装置。
【発明の詳細な説明】
【０００１】
【発明の属する技術分野】
この発明は、気体等の被濾過流体中に含まれる微細な粒子を捕集する集塵装置に関するものである。
【０００２】
【従来の技術】
円筒形あるいは扁平な角形の多孔質のフィルタエレメントの上部を支持板で支持し、その支持板上でフィルタエレメントの上部を開口させたフィルタユニットは既に知られている。
【０００３】
上記フィルタユニットを用いる集塵装置は、普通、ケーシングの内部に上室と下室とを形成し、その下室内にフィルタユニットのフィルタエレメントを配置すると共に、そのフィルタエレメントの上部を支持する支持板を上室と下室間の仕切板に取付け、上記フィルタエレメントによって下室内に供給される被濾過流体を濾過し、その被濾過流体に含まれる粉塵をフィルタエレメントで捕集するようにしている。
【０００４】
また、フィルタエレメントを通過して上室内に流入した清浄な流体を、その上室の周壁に形成された排気口あるいは上室に連通させた排気筒から外部に排気させるようにしている。
【０００５】
上記のような集塵装置においては、フィルタエレメントの洗浄等によるメンテナンスや、破損した際の交換を可能とするため、フィルタユニットを着脱自在に取付けてケーシングの外部にフィルタユニットを取り出せるようにしている。
【０００６】
ところで、フィルタユニットを上室側に着脱できるようにすると、上室にフィルタユニットの全体を引き上げ可能とする高さを必要とするため、集塵装置が大型化する問題が生じる。
【０００７】
また、上室にはフィルタエレメント内に高圧エアを噴射してフィルタエレメントを逆洗するエア噴射管が配置してあるため、そのエア噴射管と干渉しないようにフィルタユニットを着脱する必要があり、着脱に非常に手間がかかる問題がある。
【０００８】
そのような問題点を解決するため、図８に示すような集塵装置が提案されている。この集塵装置は、ケーシング４０の内部を上室４１と下室４２とに仕切る仕切板４３の下面にフィルタユニット４４の支持板４５を当接させ、その支持板４５の両端部をボルト４８にて仕切板４３に固着されたナット４９にねじ係合して締付けている。フィルタユニット４４の交換時には、上記ボルト４８を緩めてフィルタユニット４４を取外し、下室４２の周壁に形成された引出し口５０から外部に引き出すようにしている。
【０００９】
ここで、引出し口５０は扉５１によって開閉し得るようにしている。
【００１０】
【発明が解決しようとする課題】
ところで、図８に示す集塵装置においては、フィルタユニット４４の着脱に際してフィルタユニット４４の両端を支える二人の作業者を必要とすると共に、その二人の作業者がボルト４８の取付けおよび取外しを行なうための作業スペースをケーシング４０の扉５１側とその反対側に確保する必要が生じ、集塵装置の設置に広いスペースを確保しなければならないという不都合がある。さらに、装着時、フィルタユニット４４の重量を支えながらボルト４８の締め付けを行なうので、多大の労力を必要とする。
【００１１】
また、ケーシング４０には扉５１と反対側にボルト４８を回動操作する操作窓５２を形成し、その操作窓５２を扉５３によって開閉させる必要が生じ、ケーシング４０の構成が複雑化する不都合もある。
【００１２】
この発明の課題は、１人の作業者によってフィルタユニットを容易に着脱できるようにした集塵装置を提供することである。
【００１３】
【課題を解決するための手段】
上記の課題を解決するために、この発明においては、ケーシングの内部に排気部を有する上室と、被濾過流体が供給される下室とを設け、その下室の周壁に扉によって開閉される引出し口を形成し、上室と下室間における仕切板の下面にガイドレールを収容可能とする間隔をおいて複数のガイド板を固定し、そのガイド板間に組込まれて引出し口の方向に移動可能のガイドレールに、そのレール上面で支持される支持板に自己保形性を有するフィルタエレメントの上部を一体化したフィルタユニットを着脱自在に取付け、前記ガイド板には、ガイドレールを下降させた位置で保持する複数のピンを設けると共に、ケーシング内の奥側端部にガイドピンを設け、前記ガイドレールの先端部には、そのガイドレールの押し込み時に上記ガイドピンで案内されてガイドレールの先端部を上昇動させるテーパ面と、前記フィルタユニットの上面が仕切板の下面に密着し、フィルタエレメントの上部開口が前記仕切板に形成された連通孔と一致する状態で前記ガイドピンが係合する位置決め用の切欠部とを設け、その切欠部がガイドピンに係合する位置決め状態でガイドレールの押込側後端部を仕切板に固定する締着手段を設けた構成を採用している。
【００１４】
ここで、締着手段として、仕切板に固着されたナットと、そのナットにねじ係合されるセットボルトから成るものを採用することができる。
【００１５】
上記のように構成すると、フィルタユニットを支持するガイドレールがピンで支持される状態において、そのガイドレールの後端部を押し込むと、テーパ面がガイドピンにより案内されてガイドレールの先端部が上方に移動し、切欠部がガイドピンに係合して、フィルタユニットの上面が仕切板の下面に密着すると共に、フィルタエレメントの上部開口が仕切板の連通孔に一致する。そこで、ガイドレールの後端部を締着手段により仕切板に固定することによってフィルタユニットを装着状態に保持することができる。なお、フィルタユニットの支持板の上面に弾性を有するシール材を取付けておくことにより、仕切板の下面に対してフィルタユニットを良好に密着させることができる。
【００１６】
また、締着手段を解除してガイドレールを引くことにより、ガイドレールが下降してピンで支持されることになる。このため、フィルタユニットの着脱を１人の作業者によって行うことができる。
【００１７】
ここで、ガイドレールの押し引きによる移動に際し、ガイドレールはピンおよびガイドピンと接触する状態で移動し、上記ガイドピンと接触する状態では、その接触点を中心にガイドレールを傾斜させることができるので、フィルタユニットの上面先端部のみが仕切板と接触する状態でガイドレールを移動させることができる。このため、ガイドレールの移動時における抵抗が小さく、ガイドレールをスムーズに移動させることができる。
【００１８】
なお、引出し口に近接するピンを、フィルタユニットの装着状態において、ガイドレールの後端から外れた位置に設けておくと、ガイドレールの傾き角を大きくとれるので、ガイドレールの移動時の仕切板の下面に対するフィルタユニットのシール材の接触抵抗の減少を図ることができ、装着時のシール材の摩耗を先端部の狭い範囲に抑えることができる。
【００１９】
前記の構成から成る集塵装置において、ガイドレールに対してフィルタユニットを着脱自在に支持する方法として、ガイドレールにフィルタエレメント挿入用の挿入孔を形成し、ガイドレールの上方からフィルタユニットを着脱する方法や、ガイドレールにその後端で開口するガイド溝を形成し、そのガイド溝に対してフィルタユニットのフィルタエレメントを抜き差しする方法を採用することができる。
【００２０】
ガイドレールの挿入孔にフィルタエレメントが挿入されたフィルタユニットの交換に際しては、引出し口から外部にガイドレールを引き抜き、ケーシングの外部において、フィルタユニットの交換を行うようにする。
【００２１】
挿入孔が形成されたガイドレールにおいては、剛性が高く、変形することも少ないため、重量のあるフィルタユニットを安定よく支持することができる。
【００２２】
一方、ガイドレールのガイド溝にフィルタエレメントが挿入されたフィルタユニットの交換に際しては、ピンによってガイドレールが支持される状態で、ガイド溝に対してフィルタユニットを抜き差しする。
【００２３】
この場合、ガイドレールを外部に引き出す必要がないため、フィルタユニットを簡単に交換することができると共に、抜き差しの際にはフィルタエレメントの外周一部がガイド溝の内面と接触する程度であるため、フィルタエレメントの外表面に付着する粉塵を落下させることなく取外しを行うことができ、周囲を汚すおそれがない。
【００２４】
【発明の実施の形態】
以下、この発明の実施の形態を図１乃至図７に基づいて説明する。
【００２５】
図１に示すように、ケーシング１の内部には上室２と下室３とが設けられ、上室２の周壁には排気部としての排気口４が形成されている。一方、下室３の周壁には、被濾過流体の流入口５と引出し口６とが形成され、その引出し口６は扉７によって開閉自在とされている。
【００２６】
図２に示すように、上室２と下室３間の仕切板８には引出し口６の方向に向けて直線状に並ぶ複数の連通孔９が、その配列方向と直交する方向に複列に設けられている。
【００２７】
また、仕切板８の下面には、各列の連通孔９の両側位置に一対のガイド板１０が設けられ、そのガイド板１０間に設けられたガイドレール１１によってフィルタユニット１２が支持されている。
【００２８】
ガイドレール１１は、図３乃至図５に示すように、帯状受板１１ａの両側に一対のフランジ１１ｂを下向きに形成した断面がコの字形とされ、上記受板１１ａに、複数の挿入孔１３Ａが形成されている。
【００２９】
ガイドレール１１は一対のガイド板１０間において上下方向および長さ方向に移動自在とされ、下降位置で一対のフランジ１１ｂがガイド板１０の内面に突設したピン１４で受けられるようになっている。
【００３０】
図２に示すように、フィルタユニット１２は、上部が開口する円筒状の複数のフィルタエレメント２５の上部を支持板２６で支持し、その支持板２６の上面にゴム等の弾性を有するシール材２７を固定し、各フィルタエレメント２５の上部開口をシール材２７の上面で開口させている。
【００３１】
複数のフィルタエレメント２５のそれぞれは多孔質であって自己保形性を有している。また、フィルタエレメント２５は前記ガイドレール１１の挿入孔１３Ａに挿入可能な外径とされ、直線状の配置でもって上部が支持板２６に支持されている。
【００３２】
実施の形態では、ガイドレール１１によって複数のフィルタユニット１２が支持可能とされ、これらの各フィルタユニット１２におけるフィルタエレメント２５は、そのガイドレール１１を上昇させた位置で仕切板８に形成された連通孔９に上部開口が連通するようになっている。
【００３３】
上記ガイドレール１１は、その長さ方向に移動させたとき、その移動方向の先端部がガイド機構１５によって斜め上方に案内される。
【００３４】
ガイド機構１５は、ガイドレール１１におけるフランジ１１ｂの先端部にテーパ面１６を設け、一方、ガイド板１０の奥側端部に、このテーパ面１６を受けるガイドピン１７を固定している。ここで、テーパ面１６はガイドレール１１の先端に向けて上り匂配をもって傾斜しており、その下端には上記ガイドピン１７に係合可能な切欠部１８が形成されている。この切欠部１８がガイドピン１７に係合する状態において、仕切板８の下面にシール材２７が密着し、フィルタエレメント２５の上部開口が仕切板８の連通孔９と一致する状態にガイドレール１１が位置決めされる。
【００３５】
ガイドレール１１は、ガイドピン１７に切欠部１８が係合する位置決め状態において、引出し口６側に位置する後端部が締着機構２０によって締着される。ここで、締着機構２０は、ガイドレール１１の帯状受板１１ａの後端部に形成されたボルト挿入孔２１にセットボルト２３を挿入し、そのボルト２３を仕切板８に固着したナット２４にねじ係合して締付けるようにしている。
【００３６】
図２に示すように、上室２には、エア噴射管２８が設けられている。エア噴射管２８には仕切板８に形成された連通孔９と対向する位置にエア噴射ノズル２９が設けられ、各エア噴射ノズル２９から連通孔９に向けて高圧エアを噴射し得るようになっている。
【００３７】
図１および図２は、フィルタユニット１２のセット状態を示し、ガイドレール１１はガイドピン１７に対する切欠部１８の係合によって先端部が位置決めされ、後端部はナット２４にねじ係合したセットボルト２３の締付けにより固定されている。また、フィルタユニット１２のシール材２７は仕切板８の下面に密着し、各フィルタエレメント２５の上部開口が仕切板８の連通孔９に連通している。
【００３８】
上記のようなフィルタユニット１２のセット状態において、図１に示す排気口４に吸引力を付与する状態で流入口５から下室３内に被濾過流体としての含塵ガスを流入すると、その含塵ガスは、フィルタエレメント２５によって濾過され、含塵ガス中に含まれる粉塵が上記フィルタエレメント２５によって捕捉される。
【００３９】
フィルタエレメント２５を通過した清浄なガスは、連通孔９から上室２内に流れ、排気口４から排出される。
【００４０】
含塵ガスの濾過によってフィルタエレメント２５が目詰まりすると、エア噴射管２８のエア噴射ノズル２９から連通孔９に向けて高圧エアを噴射し、フィルタエレメント２５のそれぞれを逆洗する。
【００４１】
また、フィルタユニット１２の洗浄、あるいはフィルタエレメント２５の破損等によるフィルタユニット１２の交換に際しては、含塵ガスの流入を停止させた状態で、扉７を開放し、引出し口６からセットボルト２３を回動して取外したのち、ガイドレール１１を引出し口６に向けて引き、ガイドピン１７によりテーパ面１６の移動を案内してガイドレール１１を下降させる。
【００４２】
ガイドレール１１が図６に示すように、ピン１４によって支持されると、そのピン１４に沿ってガイドレール１１を引出し口６から外部に引き出し、ケーシング１の外部においてフィルタユニット１２の交換を行う。
【００４３】
フィルタユニット１２の交換に際しては、ガイドレール１１の上方から古いフィルタユニット１２を引き抜き、新しいフィルタユニット１２のフィルタエレメント２５を挿入孔１３Ａに挿入して、支持板２６をガイドレール１１の受板１１ａに重ね合わせる。
【００４４】
フィルタユニット１２の交換後、ガイドレール１１を引出し口６からピン１４上に載置して、ガイドレール１１をケーシング１の奥側に押し込み、ガイドピン１７に対するテーパ面１６の接触移動によりガイドレール１１を斜め上方に移動させる。
【００４５】
ここで、切欠部１８がガイドピン１７に係合する位置までガイドレール１１を押し込むと、シール材２７が仕切板８の下面に密着すると共に、フィルタエレメント２５の上部開口が連通孔９と一致し、前記セットボルト２３の締付けによるガイドレール１１の後端部の固定によってフィルタエレメント２５は上部開口が連通孔９と一致した状態で仕切板８に密着保持される。
【００４６】
上記のように、ピン１４によって支持されたガイドレール１１を押し込むと、ガイドピン１７に対するテーパ面１６の接触によりガイドレール１１の先端部が上方に移動して、ガイドピン１７に切欠部１８が係合し、また、ガイドレール１１を引くと、逆に、そのガイドレール１１が下降してピン１４で支持され、そのピン１４に沿って引出し口６から外部に引き出すことができるので、１人の作業者によって簡単にフィルタユニット１２の着脱作業を行うことができる。
【００４７】
ここで、引出し口６側に位置するピン１４を、フィルタユニット１２の装着状態においてガイドレール１１の後端から外れる位置に設けておくと、ガイドレール１１の先端部が位置決めされる手前において、図６の鎖線で示すように、ガイドレール１１の傾き角を大きくとることができ、仕切板８の下面との接触によるシール材２７の摩耗を先端部の小さい範囲に抑えることができ、ガイドレール１１を長期に亘って使用することができる。また、押込み時のシール材２７の先端部の前後方向に偏向した圧着状態を一旦解除してから上方へ押し上げるので、シール材２７の全体を均一な力で仕切板８に密着させることができる。
【００４８】
なお、ピン１４としてローラピンを使用すると、ガイドレール１１を円滑に移動させることができる。
【００４９】
図７はガイドレール１１の他の例を示す。この例では、ガイドレール１１の受板１１ａに、後端で開口するガイド溝１３Ｂを形成し、そのガイド溝１３Ｂに対してフィルタユニット１２のフィルタエレメント２５を抜き差し可能としている。
【００５０】
上記のようなガイドレール１１を使用した場合、そのガイドレール１１がピン１４で支持される下降位置において、ガイド溝１３Ｂに沿ってフィルタユニット１２を抜き差しすることができるため、フィルタユニット１２の交換等による着脱に際してガイドレール１１を外部に引き抜く必要がなく、フィルタユニット１２の着脱作業を容易に行うことができる。
【００５１】
また、フィルタユニット１２の着脱時、フィルタエレメント２５の一部がガイド溝１３Ｂの内周に接触する程度であるため、フィルタエレメント２５の外周に付着する粉塵の落下がきわめて少なく、周囲を汚すこともない。
【００５２】
上記ガイドレール１１の後端の固定に際しては、受板１１ａの下面後端部にガイド溝１３Ｂより幅寸法の大きい押え金具２２を当接し、その押え金具２２に形成されたボルト挿入孔２２にセットボルト２３を挿通して先端部を図２に示す仕切板８に固着したナット２４にねじ係合して締付ける。
【００５３】
実施の形態においては、フィルタエレメント２５として上部が開口する円筒状のものを示したが、フィルタエレメント２５の形状もこれに限定されるものではない。例えば、上部が開口する扁平な角形、断面星形や菊花形の多角形状のものであってもよい。このようなフィルタエレメントを採用する場合、仕切板８には、そのフィルタエレメントの上部開口と一致する形状の連通孔を形成するのが好ましい。
【００５４】
【発明の効果】
この発明は以上のように構成したので下記に示す効果を奏する。
【００５５】
請求項１に係る発明においては、フィルタユニットを抜き差し自在に支持するガイドレールの後端部を引出し口から押し引きすることにより、ガイドピンにテーパ面が案内されてガイドレールが斜め上下方向に移動し、そのガイドレールの後端部を締着手段によって固定するようにしたので、１人の作業者によって容易にフィルタユニットの着脱作業を行なうことができる。
【００５６】
また、ガイドピンに切欠部を係合してガイドレールの先端部を位置決めするようにしたので、フィルタユニットを所定位置に精度よく取付けることができる。
【００５７】
さらに、ガイドレールは、ピンおよびガイドピンによって案内されるため、移動抵抗が小さく、ガイドレールをスムーズに移動させることができ、フィルタユニットを能率よく着脱することができる。
【００５８】
請求項２に係る発明においては、ガイドレールにフィルタエレメントが挿入可能な挿入孔を形成したことにより、剛性の高い、変形することが少ないガイドレールを得ることができる。
【００５９】
請求項３に係る発明においては、ガイドレールに形成したガイド溝からフィルタユニットを抜き差しすることができるため、フィルタユニットの着脱時にガイドレールをケーシングの外部に引き抜く必要がなく、フィルタユニットの着脱作業を簡単に行うことができる。
【００６０】
請求項４に記載の発明においては、ガイドピンに切欠部が係合する手前においてガイドレールを大きく傾けることができるため、フィルタユニットの装着時において仕切板の下面に対してフィルタユニットの先端部のみの狭い範囲で接触させることができ、フィルタユニットの上面の摩耗を最小限に抑えることができると共に、シール材の先端接触部の前後方向の偏向を少なくし、均一な力で密着させることができる。
【図面の簡単な説明】
【図１】この発明に係る集塵装置の一部切欠正面図
【図２】同上の要部を拡大して示す断面図
【図３】図２のIII −III 線に沿った断面図
【図４】図２のIV−IV線に沿った断面図
【図５】同上のガイドレールとフィルタユニットを示す分解斜視図
【図６】同上のガイドレールの下降停止状態を示す断面図
【図７】同上のガイドレールの他の例を示す断面図
【図８】従来の集塵装置を示す断面図
【符号の説明】
１  ケーシング
２  上室
３  下室
６  引出し口
７  扉
８  仕切板
９  連通孔
１１  ガイドレール
１２  フィルタユニット
１３Ａ  挿入孔
１３Ｂ  ガイド溝
１４  ピン
１６  テーパ面
１７  ガイドピン
２０  締着機構
２３  セットボルト
２４  ナット
２５  フィルタエレメント
２６  支持板
２７  シール材
３０  ガイド孔
３１  傾斜孔部
３３  ガイドピン
【図１】
0004006103.tif 000002
【図２】
0004006103.tif 000003
【図３】
0004006103.tif 000004
【図４】
0004006103.tif 000005
【図５】
0004006103.tif 000006
【図６】
0004006103.tif 000007
【図７】
0004006103.tif 000008
【図８】
0004006103.tif 000009